(57)【要約】　　　（修正有）【課題】フェース面上において、ヒットポイントを限定することにより、正確にゴルフボールが転がせるような構造としたゴルフ用パターヘッドを提供する。【解決手段】ゴルフ用パターヘッドのヘッド構造が、フェース面１のトウ側８およびヒール側９に慣性モーメントを付与するように設けた厚み部と、ヘッドのヒール側で立直させた脚部にシャフトを挿入する有底円筒形状のボス４を設けたホーゼル１１と、フェース面におけるスウィートスポットを中心として、フェース面に突出させて設けたスポット盤６と、を備え、スポット盤で、ボールのヒットポイントが限定されるようにした。【選択図】図１
0003100487.tif 000002
【実用新案登録請求の範囲】
【請求項１】
　ゴルフボールをヒットするフェース面を備えたゴルフ用パターのヘッド構造において、
　前記ヘッド構造は、前記フェース面のトウ側およびヒール側に慣性モーメントを付与するように設けた厚み部と、
　前記ヘッドのヒール側で立直させた脚部にシャフトを挿入する有底円筒形状のボスを設けたホーゼルと、
　前記ゴルフボールのヒット部位が限定されるように、前記フェース面におけるスウィートスポットを中心として、前記フェース面に突出させて設けたスポット盤と、を備え
　前記スポット盤で前記ゴルフボールをヒットするようにしたことを特徴とするゴルフ用パターのヘッド構造。
【請求項２】
　前記ホーゼルの脚部高さは、前記フェース面長さの２分の１に設定されていることを特徴とする請求項１に記載のゴルフ用パターのヘッド構造。
【請求項３】
　前記ボスを前記脚部の上端で前記フェース面側に突出させて設けると共に、その軸線が前記スポット盤の外周面よりヒール側になるように、前記ボスを傾斜させて設けたことを特徴とする請求項１または２に記載のゴルフ用パターのヘッド構造。
【考案の詳細な説明】
【技術分野】
【０００１】
　本考案は、ゴルフ用パターに関し、特に、そのヘッド部分に特徴のあるゴルフ用パターのヘッド構造に関する。
【背景技術】
【０００２】
　グリーン上でのゴルフのパッティングにおいて、ゴルファーはグリーンの傾斜を正確に読み、ストロークの方向や強さを加減する必要がある。これにより、ゴルファーはパターを下に垂らしてグリーンの傾斜やゴルフボールの位置を確認したり、各自のストローク姿勢に合ったゴルフボールの位置を確認する。即ち、ゴルファーは、パッティングの際に、特に精神的に意識を集中させる必要があり、このことで、極度に緊張することから、時には、筋肉が硬直しミスパットとなることもあった。
　このようなゴルファーの精神的負担を軽減するものとして、特開２００３−２４４８８号公報には、打球感が良好で、ゴルフボールの転がる距離、方向のいずれについてもそのコントロールが容易となり、ゴルファーにとって使用時の違和感が少ないゴルフパターについて、その技術が開示されている。このゴルフパターは、ヘッドが超高分子量高密度ポリエチレンからなるフェースプレート及び金属部材からなり、金属部材にフェースプレートが装着され、かつフェースプレートの裏面が金属部材で覆われたものである。また、特開平１０−２１６２７９号公報には、フェース面の一部又は全体を、金属よりも軟らかい高分子材料とし、パッティングの際にソフトな打球感を得ようとするものである。
【特許文献１】特開２００３−２４４８８号公報
【特許文献２】特開平１０−２１６２７９号公報
【考案の開示】
【考案が解決しようとする課題】
【０００３】
　上述したゴルフパターにおいては、フェース面にフェースプレートを装着すること、もしくはフェース面を加工することにより、好適な打感が得られるようにしたものである。これにより、ゴルフボールのコントロールが容易となるものであるが、ヒットポイントの狂いから、正確な転がりとならない場合もあった。
　本考案は、従来の技術の有するこのような問題点に鑑みてなされたものであり、その目的とするところは、フェース面上において、ヒットポイントを限定することにより、正確にゴルフボールを転がせるようにすることである。
【課題を解決するための手段】
【０００４】
　本考案のゴルフ用パターのヘッド構造は、ゴルフボールをヒットするフェース面を備えたゴルフ用パターのヘッド構造において、前記ヘッド構造は、前記フェース面のトウ側およびヒール側に慣性モーメントを付与するように設けた厚み部と、前記ヘッドのヒール側で立直させた脚部にシャフトを挿入する有底円筒形状のボスを設けたホーゼルと、前記ゴルフボールのヒット部位が限定されるように、前記フェース面におけるスウィートスポットを中心として、前記フェース面に突出させて設けたスポット盤と、を備え前記スポット盤で前記ゴルフボールをヒットするようにしたことを特徴とする。
　上記のゴルフ用パターのヘッド構造において、好ましくは、前記ホーゼルの脚部高さが、前記フェース面長さの２分の１に設定されていることを特徴とする。
　また、前記ボスを前記脚部の上端で前記フェース面側に突出させて設けると共に、その軸線が前記スポット盤の外周面よりヒール側になるように、前記ボスを傾斜させて設けたことを特徴とする。
【考案の効果】
【０００５】
　本考案のゴルフ用パターのヘッド構造は、フェース面のトウ側およびヒール側に慣性モーメントを付与するように厚み部が設けられているので、ゴルフボールがスイートスポットから離れた位置で打たれた場合でも、パターヘッドの捩れに抗すものとなり、さらに、フェース面に突出させてスポット盤を設け、このスポット盤にゴルフボールを当てるようにしているので、ゴルフボールの転がり方向に狂いのないものとなる。
　即ち、スポット盤はボールのヒットポイントが限定されるように設けられているので、ゴルファーはスポット盤とゴルフボールとを見て、これをヒットさせるだけでよく、これにより神経を集中させることができるので、結果的に好スコアに繋げることができる。また、ホーゼルの脚部高さをフェース面長さの２分の１に設定し、ボスを脚部の上端でフェース面側に突出させて設けると共にボスの軸線がスポット盤の外周面よりヒール側になるように傾斜させて設けたことにより、ゴルファーは、ゴルフボールを真上から見下ろす位置で、正しいアドレス姿勢が取れる。
【考案を実施するための最良の形態】
【０００６】
　ゴルフ用パターのヘッド構造が、フェース面のトウ側およびヒール側に慣性モーメントを付与するように設けた厚み部と、フェース面におけるスウィートスポットを中心として、フェース面に突出させて設けたスポット盤と、を備え、スポット盤で、ボールのヒットポイントが限定されるようにした。
【実施例１】
【０００７】
　図１は、本考案のゴルフ用パターヘッド１０の構造を示した斜視図であり、図２は、その平面図である。これら、図１および図２に示すように、このパターヘッド１０は、ゴルフボールをヒットするフェース面１上に、スポット盤６を接着したものであり、このスポット盤６でゴルフボールをヒットさせるようにしたものである。即ち、スポット盤６は、フェース面１のスィートスポットを中心にして、ゴルフボールのヒット面を円形に突出させて形成したものであり、ほぼゴルフボールが好適にヒットされる部分（ヒット部位）である。したがって、このスポット盤６にゴルフボールを当てるようにヒットするだけで、ゴルフボールの転がり方向に狂いのないものとなる。また、スポット盤６は、ゴルフボールをヒットする際の、的となることから、狙いが定め易くなり、同時に神経を集中させることができるのでスコアの向上に役立つ。尚、スポット盤６は、円形形状に限定されるものでなく、楕円形状等ゴルファーの好みに応じて形成してもよい。
【０００８】
　さらに、本考案のパターヘッド１０は、ゴルフボールがスウィートスポットを外した際に、シャフトの捩れを最小限に抑えることにより、フェース面の方向がぶれないように、フェース面１のトウ側８およびヒール側９に慣性モーメントを付与する厚み部２、２が設けられている。この厚み部２、２は、重量バランスをフェース面１の左右に分散させるものであり、ゴルフボールが好適にヒットされる部分を広げることができるものである。スポット盤６は、ゴルフボールが好適にヒットされる部分に設けられるものであるが、慣性モーメントが付与されることにより、ゴルフボールの転がりがさらに正確になる。
【０００９】
　パターヘッド１０のヒール側９には、立直させた脚部３にシャフトを挿入する有底円筒形状のボス４を設けたホーゼル１１が連設され、ホーゼル１１の脚部３の高さは、フェース面１長さの約２分の１に設定されている。また、このホーゼル１１のボス４は、脚部３の上端でフェース面１側に突出させて設けられ、その軸線５は、スポット盤６の外周面よりヒール側になるように傾斜させて設けられている。
【００１０】
　このようなボス４の傾斜角度は、そのままシャフトの傾斜角度（ライ角）となり、正しい姿勢でアドレスした時に、ゴルファーはゴルフボールを真上から見下ろすことができるものとなる。また、ヒットのタイミングは、スポット盤６の厚さの分だけ早くなることから、パターを打ち切れない人にとって、好適に距離調節できるものとなる。尚、ゴルファーは、その日の調子に合わせて、スポット盤６の厚さを変えてプレーできるようにするために、スポット盤６を着脱自在に形成してもよい。また、スポット盤６の表面素材をカーボン、チタン等の素材とすると共に、スポット盤６とフェース面１との間に合成樹脂素材を挟み積層構造とすることで、打感を改善することもできる。
【図面の簡単な説明】
【００１１】
【図１】ゴルフ用パターヘッドの斜視図である。
【図２】ゴルフ用パターヘッドの平面図である。
【符号の説明】
【００１２】
　１　フェース面
　２　厚み部
　３　脚部
　４　ボス
　５　軸線
　６　スポット盤
　８　トウ側
　９　ヒール側
　１０　パターヘッド
　１１　ホーゼル
【図１】
0003100487.tif 000003
【図２】
0003100487.tif 000004